(57)【要約】【課題】透明な遊技盤の電飾効果を高めること。【解決手段】パチンコ機１の遊技盤１０は、合成樹脂製で透光性の基板１３に入賞装置１４ａ、１４ｂ等を取り付けて構成されるが、透光性の合成樹脂製のシートであり、光拡散部である凹凸１８ａが設けられ、基板１３の外周に倣った外周形状の装飾シート１８を、基板１３の裏面に取り付けたので、遊技盤１０の背後に配置した発光源（ＬＥＤ２２）の光を光拡散部によって拡散させることができ、電飾効果が向上する。その光拡散部は凹凸１８ａであるから、この凹凸１８ａによって立体感を出すことができ、装飾効果がより高まる。【選択図】  図１
2008167807.tif 000002
【特許請求の範囲】
【請求項１】
合成樹脂製で透光性の基板に入賞装置を取り付けて構成される遊技盤において、
透光性の合成樹脂製のシートであり、光拡散部と、表面側に凸又は凹の膨出部とが設けられ、前記基板の外周に倣った外周形状の装飾シートを、前記基板の裏面に取り付けた
ことを特徴とする遊技盤。
【請求項２】
請求項１記載の遊技盤において、
前記膨出部の一部又は全部は前記光拡散部でもある
ことを特徴とする遊技盤。
【発明の詳細な説明】
【技術分野】
【０００１】
本発明は、弾球遊技機の技術分野に属し、詳細には弾球遊技機に装着される遊技盤に関する。
【背景技術】
【０００２】
合成樹脂製で透光性の基板に入賞装置を取り付けて構成される遊技盤がある（例えば特開平１０−１７９８５４号公報）。
【特許文献１】特開平１０−１７９８５４号公報
【発明の開示】
【発明が解決しようとする課題】
【０００３】
特許文献１の遊技盤では、透光性の基板の裏面に電気的装飾装置（例えばＬＥＤや液晶表示装置）を配置することにより、電気的装飾装置を所望の位置に配置可能としている。また、特許文献１の遊技盤では、透明な合成樹脂フィルムに印刷を施した化粧板を基板に積層して、これを透過する光によって電飾効果を高めている。
【０００４】
しかしながら、特許文献１の装飾板には、いわゆるレンズに相当する構成が無いために、電飾効果も限られていた。
【課題を解決するための手段】
【０００５】
請求項１記載の遊技盤は、
合成樹脂製で透光性の基板に入賞装置を取り付けて構成される遊技盤において、
透光性の合成樹脂製のシートであり、光拡散部と、表面側に凸又は凹の膨出部とが設けられ、前記基板の外周に倣った外周形状の装飾シートを、前記基板の裏面に取り付けた
ので、遊技盤の背後に配置した電気的装飾装置（例えばＬＥＤや液晶表示装置）の光を光拡散部によって拡散させることができる。これにより、電飾効果が向上する。また、表面側に凸又は凹の膨出部が設けられているので、この膨出部によって立体感を出すことができ、装飾効果が高まる。
【０００６】
しかも、基板の外周に倣った外周形状の装飾シートであるから、１枚の装飾シートにて上記の効果が得られる。この装飾シートを機種毎に変更すればよいので、遊技盤のデザイン変更も容易である。
【０００７】
請求項２記載の遊技盤は、請求項１記載の遊技盤において、前記膨出部の一部又は全部は前記光拡散部でもあるから、立体感のある膨出部にて光を拡散させることができ、請求項１の効果が向上する。
【発明を実施するための最良の形態】
【０００８】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１に示すように、弾球遊技機の一種であるパチンコ機１は、外枠２に収容された中枠３を備えている。
【０００９】
中枠３の前面にはガラス枠４、上皿５、下皿６、発射ハンドル７等が取り付けられている。
また、中枠３は遊技盤１０を保持している。
【００１０】
遊技盤１０の前面側はガラス枠４に保持された２重のガラス板１１ａ、１１ｂによって覆われ、遊技盤１０とガラス板１１ａとの間に遊技領域１２が形成される。
遊技盤１０の基板１３は透光性の合成樹脂製であり、透明である。
基板１３にはチューリップ式の入賞装置１４ａ、アタッカー式の入賞装置１４ｂやその他の入賞装置（図示略）が取り付けられており、周知のガイドレール、遊技釘等（何れも図示略）が取り付けられている。また、中央部には、表示装置の画面を臨ませるための表示枠１５が取り付けられている。
【００１１】
基板１３の背面には、透光性の合成樹脂製のシートであり、図３〜５に例示するような光拡散パターン（光拡散部）が設けられ、また波状の凹凸１８ａ（膨出部）が設けられた、装飾シート１８が取り付けられている。
【００１２】
図３に示す光拡散パターンは、直線状の凸条を縦、横、斜めの格子状に配置した構造、図４に示す光拡散パターンは、直線状の凸条を平行に配置した構造、図５に示す光拡散パターンは、凸条を大小の同心円状に配置した基本パターンを繰り返す構造である。なお、光拡散パターンを構成する凸条は基材となる透明シートに、同じく透明な合成樹脂を印刷して設けられており、そうした凸条の断面形状は、三角形、台形、円弧等とされる。
【００１３】
なお、図２に示すように、装飾シート１８の外周形状は基板１３の外周に略対応している。装飾シート１８の縁部１８ｂは平坦であり、その内側全域に光拡散パターンが設けられ、また内側全域に凹凸１８ａが設けられている。つまり、凹凸１８ａは光拡散部でもある。
【００１４】
装飾シート１８は、縁部１８ｂを基板１３の裏面にねじ止め又は接着されて取り付けられている。
一方、入賞装置１４ａ、入賞装置１４ｂ、表示枠１５等に対応する部分は開口１８ｃとされている。入賞装置１４ａ、入賞装置１４ｂ、表示枠１５等は各開口１８ｃにはめ込み状になっており、開口１８ｃの内周部は入賞装置１４ａ、入賞装置１４ｂ、表示枠１５等の外周部に直接に、又は外周部に設けられたボス等にねじ止めすることで連結されている。
【００１５】
遊技盤１０の背後には液晶表示装置２０が配されている。液晶表示装置２０は支持部材２１を介して中枠３に保持されている。また、支持部材２１は複数のＬＥＤ２２（実際にはＬＥＤ２２が実装された配線基板）も取り付けられている。
【００１６】
液晶表示装置２０は、表示枠１５に対面状に配置されており、パチンコ機１の正面側からは、表示枠１５の内側（空洞になっている）を通して液晶表示装置２０の画面を見ることができる。
【００１７】
ＬＥＤ２２は、装飾シート１８の凹凸１８ａの背後に位置して適宜個数が分散配置されており、装飾シート１８のほぼ全域を背後から照明する。
更に、中枠３の背面部には、いわゆる大当たりの抽選を行ったり、入賞装置１４ａ、入賞装置１４ｂの開閉を制御する等、パチンコ機１の中枢となる主制御基板、液晶表示装置２０の制御部（画像制御基板）等の基板類を収容した基板ケース２５等が取り付けられている。
【００１８】
このパチンコ機１の遊技盤１０は、合成樹脂製で透光性の基板１３に入賞装置１４ａ、１４ｂ等を取り付けて構成されるが、透光性の合成樹脂製のシートであり、光拡散部である凹凸１８ａが設けられ、基板１３の外周に倣った外周形状の装飾シート１８を、基板１３の裏面に取り付けたので、遊技盤１０の背後に配置した発光源（ＬＥＤ２２）の光を光拡散部によって拡散させることができ、電飾効果が向上する。その光拡散部は凹凸１８ａであるから、この凹凸１８ａによって立体感を出すことができ、装飾効果がより高まる。
【００１９】
しかも、基板１３の外周に倣った外周形状の装飾シート１８であるから、１枚の装飾シート１８にて上記の効果が得られる。この装飾シート１８を機種毎に変更すればよいので、遊技盤１０のデザイン変更も容易である。
【図面の簡単な説明】
【００２０】
【図１】実施例のパチンコ機１の一部破断側面図。
【図２】実施例の装飾シートの形状説明図。
【図３】実施例の装飾シートに設けた光拡散パターンの例示図（１）。
【図４】実施例の装飾シートに設けた光拡散パターンの例示図（２）。
【図５】実施例の装飾シートに設けた光拡散パターンの例示図（３）。
【符号の説明】
【００２１】
１・・・パチンコ機（弾球遊技機）、
１０・・・遊技盤、
１３・・・基板、
１４ａ、１４ｂ・・・入賞装置、
１５・・・表示枠、
１８・・・装飾シート、
１８ａ・・・凹凸、
１８ｂ・・・縁部、
１８ｃ・・・開口、
２０・・・液晶表示装置。
【図１】
2008167807.tif 000003
【図２】
2008167807.tif 000004
【図３】
2008167807.tif 000005
【図４】
2008167807.tif 000006
【図５】
2008167807.tif 000007